(57)【要約】【課題】簡単な構成でありながら、シートからはみ出さずに排泄させやすくする犬用トイレを提供する。【解決手段】犬用トイレ１０は、犬３０が乗って排泄できる大きさのトイレシート１２と、該トイレシート１２に対して立ち上がる立ち上がり部１４と、該立ち上がり部１４に設けられた磁気発生部１６により構成される。前記磁気発生部１６は、前記立ち上がり部１４の一方の端部１４Ａ側にＮ極２２Ａが向き、前記一端と対向する他方の端部１４Ｂ側にＳ極２２Ｂが向くように、複数の棒状の磁石２２を配置して形成される。これにより、立ち上がり部１４の端部１４Ａ側にＮ極１８が形成され、他方の端部１４Ｂ側にＳ極２０が形成される。犬３０は排泄時に頭部３２を北向きにする習性があるため、この習性を利用することで、簡易な構成で、トイレシートからはみ出さずに排泄させやすくする。【選択図】図１
2017175919.tif 000002
【特許請求の範囲】
【請求項１】
犬が乗って排泄できる大きさのトイレシートと、
該トイレシートの内部又は使用時の裏面に設けられており、前記トイレシートの一端側にＮ極を形成し、前記一端と対向する他端側にＳ極が形成されるように配置された磁力発生部と、
を備えたことを特徴とする犬用トイレ。
【請求項２】
犬が乗って排泄できる大きさのトイレシートと、
該トイレシートに対して立ち上がる立ち上がり部と、
該立ち上がり部に設けられており、該立ち上がり部の一端側にＮ極を形成し、前記一端と対向する他端側にＳ極が形成されるように配置された磁力発生部と、
を備えたことを特徴とする犬用トイレ。
【請求項３】
前記トイレシートと前記立ち上がり部が、一枚のシートを折り曲げてなることを特徴とする請求項２記載の犬用トイレ。
【請求項４】
前記磁力発生部が、前記犬が前記トイレシートに乗ったときの犬の頭部の高さに配置されていることを特徴とする請求項２又は３記載の犬用トイレ。
【請求項５】
前記磁力発生部が、永久磁石又は電磁石により形成されていることを特徴とする請求項１〜４のいずれか一項に記載の犬用トイレ。
【請求項６】
前記磁力発生部が、着脱可能であることを特徴とする請求項１〜５のいずれか一項に記載の犬用トイレ。
【請求項７】
犬が乗って排泄できる大きさのトイレシートと、
該トイレシートの内部又は使用時の裏面に設けられており、地磁気の影響を打ち消す消磁部と、
を備えたことを特徴とする犬用トイレ。
【請求項８】
犬が乗って排泄できる大きさのトイレシートと、
該トイレシートに対して立ち上がる立ち上がり部と、
該立ち上がり部に設けられており、地磁気の影響を打ち消す消磁部と、
を備えたことを特徴とする犬用トイレ。
【請求項９】
前記トイレシートと前記立ち上がり部が、一枚のシートを折り曲げてなることを特徴とする請求項８記載の犬用トイレ。
【請求項１０】
前記消磁部が、前記犬が前記トイレシートに乗ったときの犬の頭部の高さに配置されていることを特徴とする請求項８又は９記載の犬用トイレ。
【請求項１１】
前記消磁部が、永久磁石又は電磁石により形成されていることを特徴とする請求項７〜１０のいずれか一項に記載の犬用トイレ。
【請求項１２】
前記消磁部が、着脱可能であることを特徴とする請求項７〜１１のいずれか一項に記載の犬用トイレ。
【発明の詳細な説明】
【技術分野】
【０００１】
本発明は、犬用トイレに関し、更に具体的には、トイレシートからはみ出さずに排泄が行われるようにする犬用トイレに関するものである。
【背景技術】
【０００２】
ペットがトイレ用のシート等の上で確実に排泄するための技術として、例えば、下記特許文献１に記載の室内犬用トイレ器具がある。当該文献に記載の室内犬用トイレ器具は、三方は犬が超えられない高さの壁を有し、残り一方は犬の入り口開口部として、犬の跨ぎ易い高さの壁を有するトレーと、トイレシート上に、犬がトイレシートからはみ出すこと無く確実に放尿できる位置に前肢を置くための跨ぎ台と、ヒンジ等によりトレー開口部外側に接続され、トイレシートがずれることなく敷き易い、回転可能なトイレ抑え板を有する。
【先行技術文献】
【特許文献】
【０００３】
【特許文献１】実用新案登録第３１８６８５０号公報
【発明の概要】
【発明が解決しようとする課題】
【０００４】
しかしながら、上述した特許文献１に記載の技術は、トイレシートのほかに、三方に壁を有するトレーと、跨ぎ台と、トイレシート抑え板を必要とし、大掛かりな構成となってしまう。また、犬が前記跨ぎ台を跨ぐとは限らず、トイレシートからはみ出さずに確実に排泄させられるとは限らない。
【０００５】
本発明は、以上のような点に着目したもので、簡単な構成でありながら、トイレシートからはみ出さずに排泄させやすくする犬用トイレを提供することを、その目的とする。
【課題を解決するための手段】
【０００６】
本発明の犬用トイレは、犬が乗って排泄できる大きさのトイレシートと、該トイレシートの内部又は使用時の裏面に設けられており、前記トイレシートの一端側にＮ極を形成し、前記一端と対向する他端側にＳ極が形成されるように配置された磁力発生部と、を備えたことを特徴とする。
【０００７】
他の発明の犬用トイレは、犬が乗って排泄できる大きさのトイレシートと、該トイレシートに対して立ち上がる立ち上がり部と、該立ち上がり部に設けられており、該立ち上がり部の一端側にＮ極を形成し、前記一端と対向する他端側にＳ極が形成されるように配置された磁力発生部と、を備えたことを特徴とする。主要な形態の一つは、前記トイレシートと前記立ち上がり部が、一枚のシートを折り曲げてなることを特徴とする。他の形態の一つは、前記磁力発生部が、前記犬が前記トイレシートに乗ったときの犬の頭部の高さに配置されていることを特徴とする。
【０００８】
更に他の形態の一つは、前記磁力発生部が、永久磁石又は電磁石により形成されていることを特徴とする。更に他の形態の一つは、前記磁力発生部が、着脱可能であることを特徴とする。
【０００９】
更に他の発明の犬用トイレは、犬が乗って排泄できる大きさのトイレシートと、該トイレシートの内部又は使用時の裏面に設けられており、地磁気の影響を打ち消す消磁部と、を備えたことを特徴とする。
【００１０】
更に他の発明の犬用トイレは、犬が乗って排泄できる大きさのトイレシートと、該トイレシートに対して立ち上がる立ち上がり部と、該立ち上がり部に設けられており、地磁気の影響を打ち消す消磁部と、を備えたことを特徴とする。主要な形態の一つは、前記トイレシートと前記立ち上がり部が、一枚のシートを折り曲げてなることを特徴とする。他の形態は、前記消磁部が、前記犬が前記トイレシートに乗ったときの犬の頭部の高さに配置されていることを特徴とする。
【００１１】
更に他の形態の一つは、前記消磁部が、永久磁石又は電磁石により形成されていることを特徴とする。更に他の形態の一つは、前記消磁部が、着脱可能であることを特徴とする。本発明の前記及び他の目的，特徴，利点は、以下の詳細な説明及び添付図面から明瞭になろう。
【発明の効果】
【００１２】
本発明によれば、(1)犬が乗って排泄できる大きさのトイレシートと、該トイレシートの内部又は使用時の裏面に設けられた磁気発生部又は消磁部と、を備える。あるいは、(2)犬が乗って排泄できる大きさのトイレシートと、該トイレシートに対して立ち上がる立ち上がり部と、該立ち上がり部に設けられた磁気発生部又は消磁部と、を備えることとした。このため、犬が排泄時に頭を北向きにするという習性を利用又は打ち消して、トイレシートからはみ出さずに排泄させやすくすることが可能である。
【図面の簡単な説明】
【００１３】
【図１】本発明の実施例１を示す図であり、(A)は本発明の基本概念を示す外観斜視図，(B)は本実施例の外観斜視図，(C)は前記(B)を＃Ａ−＃Ａ線に沿って切断し矢印方向に見た断面図，(D)は変形例を示す断面図である。
【図２】本発明の実施例２を示す図であり、(A)は外観斜視図，(B)は前記(A)を＃Ｂ−＃Ｂ線に沿って切断し矢印方向に見た断面図，(C)は変形例の断面図である。
【図３】本発明の実施例３を示す図であり、(A)は外観斜視図，(B)は前記(A)を＃Ｃ−＃Ｃ線に沿って切断し矢印方向に見た断面図である。
【図４】本発明の実施例４を示す図であり、(A)は外観斜視図，(B)は前記(A)を＃Ｄ−＃Ｄ線に沿って切断し矢印方向に見た断面図，(C)は磁気発生部の構成を示す図である。
【図５】本発明の他の実施例を示す図であり、(A)は実施例５を示す斜視図，(B)は実施例６を示す斜視図である。
【図６】本発明の実施例７を示す図であり、(A)は本実施例の基本概念を示す外観斜視図，(B)及び(C)は本実施例の消磁部の一例を示す平面図である。
【図７】本発明の他の実施例を示す図である。
【発明を実施するための形態】
【００１４】
以下、本発明を実施するための最良の形態を、実施例に基づいて詳細に説明する。
【実施例１】
【００１５】
最初に、図１を参照しながら本発明の実施例１を説明する。図１(A)は本発明の基本概念を示す図，図１(B)は本実施例の外観斜視図，図１(C)は前記(B)を＃Ａ−＃Ａ線に沿って切断し矢印方向に見た断面図，図１(D)は変形例を示す断面図である。本発明は、犬は排泄するときに、頭を北向きにするという習性を利用した犬用トイレである。近年、犬の排便と排尿を観測した結果、犬は頭を北向きにして体を南北方向に向けることを好むことが確認されている。その理由は、必ずしも明らかではないが、体を北向きにすることでリラックスし、排泄行為に及ぶと考えられている。
【００１６】
図１(A)に示すように、本実施例の犬用トイレ１０Ａは、排泄物を受ける吸水性等を有するトイレシート１２と、該トイレシート１２に対して略垂直に立ち上がった立ち上がり部１４を有している。本実施例では、前記トイレシート１２と立ち上がり部１４は、一枚の連続したシートを折り曲げるようにして形成されているが、むろん、別素材を用いて形成してもよい。前記トイレシート１２としては、公知の各種のものが利用可能である。
【００１７】
前記立ち上がり部１４には、磁気発生部１６が設けられており、図１(A)に示すように、一方の端部１４Ａ側にＮ極１８が形成され、他方の端部１４Ｂ側にＳ極２０が形成されている。図１(B)には、前記磁気発生部１６の構成の一例が示されており、該磁気発生部１６は、複数の棒状の磁石２２を平行に配置して構成されている。図示の例では、立ち上がり部１４の端部１４Ａ側に磁石２２のＮ極２２Ａが向き、他方の端部１４Ｂ側に磁石２２のＳ極２２Ｂが向くように配置されている。このように磁石２２を配置することで、立ち上がり部１４の一方の端部１４Ａ側にＮ極１８を形成し、端部１４Ｂ側にＳ極２０を形成する。すると、犬３０は上述した習性により、頭部３２が北向き、すなわち、Ｎ極１８側を向くようにトイレシート１２に乗り、その位置で排泄をする。
【００１８】
なお、前記棒状の磁石２２は、図１(C)に示すように、前記立ち上がり部１４の外側側面１５に対して貼り付け等によって設けてもよいし、図１(D)に示す変形例のトイレシート１０Ａ´のように、前記立ち上がり部１４の内部に埋め込みにしてもよい。いずれの場合も、立ち上がり部１４に対して着脱可能な構成としてよい。例えば、埋め込み式の場合、図示しない通し穴を立ち上がり部１４の端部１４Ａや１４Ｂに設けて、前記磁石２２を必要に応じて装着・脱着すればよい。
【００１９】
このように、実施例１によれば、犬が乗って排泄できる大きさのトイレシート１２と、該トイレシートに対して立ち上がる立ち上がり部１４と、該立ち上がり部に設けられており、該立ち上がり部の一端側にＮ極が向き、前記一端と対向する他端側にＳ極が向くように配置された磁石２２と、を備えることとした。このため、犬が排泄時に頭を北向きにするという習性を利用して、トイレシートからはみ出さずに排泄させやすくすることが可能である。また、構成も簡易でよい。更に、磁石２２を着脱可能とすれば、使用済みのトイレシート１２は廃棄し、磁石２２を再利用することができる。また、前記習性の利用に加え、積極的にトイレのしつけを行うことで、より確実にトイレシート１２からはみ出さずに排泄させることが可能となる。
【実施例２】
【００２０】
次に、図２を参照しながら本発明の実施例２を説明する。なお、上述した実施例１と同一ないし対応する構成要素には同一の符号を用いることとする（以下の実施例についても同様）。本実施例は、磁気発生部の変形例であり、図２(A)は本実施例の外観斜視図，図２(B)は前記(A)を＃Ｂ−＃Ｂ線に沿って切断し矢印方向に見た断面図，図２(C)は変形例の断面図である。図２(A)に示すように、本実施例の犬用トイレ１０Ｂでは、磁気発生部１６が、ボタン状の磁石４０を縦横に適宜間隔をおいて、立ち上がり部１４の端部１４Ａ側にＮ極１８が形成され、端部１４Ｂ側にＳ極２０が形成されるように配置されている。図２(B)に示すように、前記磁石４０は、立ち上がり部１４の外側側面１５に設けるようにしてもよいし、図２(C)に示す犬用トイレ１０Ｂ´のように、立ち上がり部１４の内側に埋め込み式にしてもよい。いずれの場合も、適宜手法により、前記立ち上がり部１４から着脱可能とすることを妨げるものではない。本実施例の基本的作用・効果は、上述した実施例１と同様である。
【実施例３】
【００２１】
次に、図３を参照しながら本発明の実施例３を説明する。本実施例も、磁気発生部の変形例である。図３(A)は外観斜視図，図３(B)は前記(A)を＃Ｃ−＃Ｃ線に沿って切断し矢印方向に見た断面図である。図３(A)及び(B)に示すように、本実施例の犬用トイレ１０Ｃでは、立ち上がり部１４の外側に、一端側が開口したポケット状の収納部５０と、該収納部５０に収納可能なシート状の磁石５２により磁気発生部が形成される。前記磁石５２のＮ極５４を立ち上がり部１４の端部１４Ａ側に向け、磁石５２のＳ極５４を立ち上がり部１４の端部１４Ｂ側に設けることで、端部１４Ａ側にＮ極を、端部１４Ｂ側にＳ極を形成することができる。なお、図示は省略するが、前記立ち上がり部１４自体をポケット状に形成し、内部に前記板状の磁石５２を着脱可能に収納するようにしてもよい。本実施例の基本的作用・効果は、上述した実施例１と同様である。
【実施例４】
【００２２】
次に、図４を参照しながら本発明の実施例４を説明する。本実施例も、磁気発生部の変形例である。図４(A)は外観斜視図，図４(B)は前記(A)を＃Ｄ−＃Ｄ線に沿って切断し矢印方向に見た断面図，(C)は磁気発生部の構成を示す図である。本実施例の犬用トイレ１０Ｄでは、立ち上がり部１４の外側側面１５の上端寄りの位置に、磁気発生部６０を着脱可能に設けている。図４(B)及び(C)に示すように、棒状の磁石６４が、断面略円形の外装材６２中に設けられており、該外装材６２の中央部にはツマミ７０が設けられている。一方、前記立ち上がり部１４側には、前記磁気発生部６０を嵌め込み可能な断面略半円状の凹部７２が設けられている。該凹部７２に前記磁気発生部６０を装着することにより、立ち上がり部１４の一方の端部１４Ａ側にＮ極を形成し、他方の端部１４Ｂ側にＳ極を形成することができる。なお、前記磁気発生部６０を装着する場所は、図４(B)に示すように、犬３０の頭部３２の高さに合わせると、より高い効果が得られる。他の基本的な作用・効果は、上述した実施例１と同様である。
【実施例５】
【００２３】
次に、図５(A)を参照しながら本発明の実施例５を説明する。上述した実施例１〜４は、トイレシート１２に対して略垂直に立ち上がった立ち上がり部１４を有する構成としたが、本実施例は、立ち上がり部１４を省略した構造となっている。本実施例の犬用トイレ８０は、例えば、トレー８２に敷かれるシート状のトイレシート８４であり、使用時の裏面側に磁石を設けて、磁気発生部９０を形成したものである。図示の例では、トイレシート８４の一方の端部８４Ａ側にＮ極８６が形成され、他方の端部８４Ｂ側にＳ極８８が形成されている。頭部３２の位置が低い犬の場合には、本実施例のように、立ち上がり部を設けずに、トイレシート側に磁石を配置しても、上述した実施例１と同様の効果が得られる。
【実施例６】
【００２４】
次に、図５(B)を参照しながら本発明の実施例６を説明する。上述した実施例１〜４は、一枚のシートを折り曲げてトイレシート１２と立ち上がり部１４を形成する構成としたが、本発明は、既存の犬用トイレを利用することも可能である。図５(B)に示すように、既存の犬用トイレ１００は、トレー１０２と、その周縁の三方を囲む側面１０４Ａ〜１０４Ｃを備えている。前記トレー１０２には、公知のトイレシート１０６等を敷いて使用する。そして、前記側面１０４Ｂの一端側にＮ極を形成し、他端側にＳ極を形成するように、後付で磁気発生部１０８を設ける。磁気発生部１０８は、前記実施例１〜４のように磁石を接着する等の方法により取り付けられる。このように、本実施例によれば、既存の犬用トイレを利用して、簡単に上述した実施例１と同様の効果が得られる。
【実施例７】
【００２５】
次に、図６を参照しながら本発明の実施例７を説明する。上述した実施例１〜６は、いずれも、犬用トイレに磁気発生部を設けることで、排泄時に頭を北向きにするという犬の習性を積極的に利用したものである。これに対し、本実施例は、犬用トイレに、地磁気を打ち消す消磁部を設けることで、地磁気の影響を受けずにトイレシート上で排泄させやすくする例である。図６(A)は、本実施例の基本概念を示す外観斜視図，(B)及び(C)は本実施例の消磁部の一例を示す平面図である。
【００２６】
図６(A)に示すように、本実施例の犬用トイレ１０Ｅは、前記トイレシート１２と、前記立ち上がり部１４により構成されている。前記立ち上がり部１４には、地磁気を打ち消すための消磁部２００が設けられている。該消磁部２００は、例えば、複数の磁石のＮ極とＳ極が上下左右で交互に配置されるように磁石を設けることで形成される。例えば、図６(B)に示す消磁部２００Ａは、ボタン状の磁石２０２のＮ極２０２ＡとＳ極２０２Ｂが、上下左右で交互になるように複数配置したものである。また、図６(C)に示す消磁部２００Ｂは、棒状の磁石２１０のＮ極２１０ＡとＳ極２１０Ｂが上下左右で逆になるように複数配置したものである。
【００２７】
仮に、このような消磁部２００を設けないとすると、犬３０は、地磁気の影響を受けて頭部３２を北向きにして排泄することになる。このため、トイレシート上で排泄するようにしつけをしたとしても、トイレを設置する位置や向きによっては、シート上からはみ出して排泄するおそれがある。これに対し、本実施例のような消磁部２００を設けることにより、地磁気を打ち消して影響を受けることがなくなるので、トイレシート上で排泄するようにしつければ、該トイレシートからはみ出して排泄するおそれが低減する。なお、本実施例で示した消磁部を構成する磁石の形状や配置は一例であり、実施例３と同様にシート状としてもよい。また、実施例５のように、立ち上がり部がなく、シート状のみの形態としてもよい。更に、消磁部を着脱可能としてもよいし、上述した実施例６のように、既存の犬用トイレに消磁部を設けるようにしてもよい。
【００２８】
なお、本発明は、上述した実施例に限定されるものではなく、本発明の要旨を逸脱しない範囲内において種々変更を加え得ることができる。例えば、以下のものも含まれる。
(1)前記実施例で示した形状・寸法は一例であり、必要に応じて適宜変更してよい。
(2)前記実施例で示した材質も一例であり、同様の効果を奏する範囲内で公知の各種の材質を利用可能である。
(3)前記実施例で示した磁石の形状，寸法，配置，装着方法なども一例であり、同様の効果を奏する範囲内で適宜設計変更可能である。例えば、図７(A)に示すように、ボタン状の磁石２５２を、Ｎ極２５２ＡとＳ極２５２Ｂを交互に並べて棒状の磁石２５０とし、これを磁気発生部としてもよい。
(4)前記実施例１〜７では、磁気発生部や消磁部を、磁石（永久磁石）を用いて形成することとしたが、これも一例であり、鉄芯等にコイルを巻回して電流を流すことにより、図７(B)に示す棒磁石２６０と同様のＮ極２６２ＡとＳ極２６２Ｂを作り出した電磁石を用い、上述した実施例１と同様に配置しても、同様の効果が得られる。むろん、電磁石の形状も一例であり、同様の効果を奏する範囲内で、形状，寸法，配置，取付数等は適宜変更可能である。あるいは、磁性粉をシートに混入させ、これに着磁して極性を付与するようにしてもよい。
【００２９】
(5)犬用トイレ全体の形態は、上述した実施例１〜７に限定されるものではない。例えば、屋根を有するようなトイレであってもよい。
(6)前記実施例６で示した既存の犬用トイレも一例であり、本発明は、他の公知の各種の既存の犬用トイレに広く適用可能である。
(7)本発明は、犬が排泄時に北を向く習性を利用し、あるいは、地磁気の影響を打ち消したものであるが、他の動物やペットで同様の習性を有するものがあれば、それら全般のためのトイレとして本発明を適用することを妨げるものではない。
【産業上の利用可能性】
【００３０】
本発明によれば、(1)犬が乗って排泄できる大きさのトイレシートと、該トイレシートの内部又は使用時の裏面に設けられた磁気発生部又は消磁部と、を備える。あるいは、(2)犬が乗って排泄できる大きさのトイレシートと、該トイレシートに対して立ち上がる立ち上がり部と、該立ち上がり部に設けられた磁気発生部又は消磁部と、を備えることとした。このため、犬が排泄時に頭を北向きにするという習性を利用又は打ち消して、トイレシートからはみ出さずに排泄させやすくするので、犬用トイレの用途に適用可能である。特に、室内犬用のトイレとして好適である。
【符号の説明】
【００３１】
１０Ａ，１０Ａ´，１０Ｂ，１０Ｂ´，１０Ｃ，１０Ｄ，１０Ｅ：犬用トイレ
１２：トイレシート
１４：立ち上がり部
１４Ａ，１４Ｂ：端部
１５：外側側面
１６：磁気発生部
１８：Ｎ極
２０：Ｓ極
２２：磁石
２２Ａ：Ｎ極
２２Ｂ：Ｓ極
３０：犬
３２：頭部
４０：磁石
５０：ポケット
５２：磁石
５４：Ｎ極
５６：Ｓ極
６０：磁気発生部
６２：外装材
６４：磁石
６６：Ｎ極
６８：Ｓ極
７０：つまみ
７２：凹部
８０：犬用トイレ
８２：トレー
８４：トイレシート
８４Ａ：端部
８４Ｂ：端部
８６：Ｎ極
８８：Ｓ極
９０：磁気発生部
１００：犬用トイレ
１０２：トレー
１０４Ａ〜１０４Ｃ：側面
１０６：トイレシート
１０８：磁気発生部
２００，２００Ａ，２００Ｂ：消磁部
２０２，２１０：磁石
２０２Ａ，２１０Ａ：Ｎ極
２０２Ｂ，２１０Ｂ：Ｓ極
２５０，２５２：磁石
２５２Ａ：Ｎ極
２５２Ｂ：Ｓ極
２６０：棒磁石
２６２Ａ：Ｎ極
２６２Ｂ：Ｓ極
【図１】
2017175919.tif 000003
【図２】
2017175919.tif 000004
【図３】
2017175919.tif 000005
【図４】
2017175919.tif 000006
【図５】
2017175919.tif 000007
【図６】
2017175919.tif 000008
【図７】
2017175919.tif 000009